(57)【要約】通信ネットワーク（４０、４１、４２、５０、５１、５２）に専用のアーキテクチャ（１５、１６、１７、１８）を端末（１０）上で管理するシステムであり、前記端末（１０）はユーザーインタフェース（１１）を含んでいる。本発明によると、前記通信ネットワーク（４０、４１、４２、５０、５１、５２）への接続はモバイルネットワークを経由して確立され、前記システムは専用アーキテクチャの管理器（２４）を含み、該管理器は前記端末（１０）に内蔵され、通信ネットワーク（４０、４１、４２、５０、５１、５２）に専用のアーキテクチャ（１５、１６、１７、１８）を管理することに適し、また複数の前記通信ネットワーク（４０、４１、４２、５０、５１、５２）に接続された前記端末（１０）の動作を同時に処理することに適している。使用者が加入している公衆モバイルネットワークに接続された端末からの、サービスの集合を提供する複数の通信ネットワークへのアクセスを同時に管理することに適用することができる。
2005535164.tif 000002
【特許請求の範囲】
【請求項１】
通信ネットワーク（４０、４１、４２、５０、５１、５２）に専用の少なくとも一つのアーキテクチャ（１５、１６、１７、１８）を端末（１０）上で管理するシステムであり、前記端末（１０）が少なくとも一つのユーザーインタフェース（１１）を含んでいるものであって、前記通信ネットワーク（４０、４１、４２、５０、５１、５２）への接続がモバイルネットワークを経由して確立され、前記システムが少なくとも一つの専用アーキテクチャの管理器（２４）を含み、該管理器が前記端末（１０）に内蔵され、通信ネットワーク（４０、４１、４２、５０、５１、５２）に専用の少なくとも一つのアーキテクチャ（１５、１６、１７、１８）を管理することに適し、また複数の前記通信ネットワーク（４０、４１、４２、５０、５１、５２）に接続された前記端末（１０）の動作を同時に処理することに適していることを特徴とする、少なくとも一つの専用アーキテクチャを端末（１０）上で管理するシステム。
【請求項２】
通信ネットワーク（４０、４１、４２、５０、５１、５２）に専用の前記アーキテクチャ（１５、１６、１７、１８）のそれぞれが、少なくとも一つのネットワークインタフェース（２０、２１、２２、２３）を含み、該インタフェースが、前記専用アーキテクチャの管理器によって送信される、前記通信ネットワーク（４０、４１、４２、５０、５１、５２）から発信されたアドレスによってパラメータが設定されることで、前記通信ネットワーク（４０、４１、４２、５０、５１、５２）において前記端末（１０）を識別するようになっていることを特徴とする、請求項１に記載の、少なくとも一つの専用アーキテクチャ（１５、１６、１７、１８）を端末（１０）上で管理するシステム。
【請求項３】
通信ネットワーク（４０、４１、４２、５０、５１、５２）に専用の前記アーキテクチャ（１５、１６、１７、１８）のそれぞれが、前記端末（１０）の他の専用アーキテクチャ（１５、１６、１７、１８）から独立していることを特徴とする、請求項１または請求項２に記載の、少なくとも一つの専用アーキテクチャ（１５、１６、１７、１８）を端末（１０）上で管理するシステム。
【請求項４】
端末（１０）の前記ユーザーインタフェース（１１）が、通信ネットワーク（４０、４１、４２、５０、５１、５２）に専用の少なくとも一つのアーキテクチャ（１５、１６、１７、１８）へのアクセスを可能にすることを特徴とする、請求項１〜請求項３のいずれか一つに記載の、少なくとも一つの専用アーキテクチャ（１５、１６、１７、１８）を端末（１０）上で管理するシステム。
【請求項５】
請求項１〜請求項４のいずれか一つに記載の、専用アーキテクチャを管理するシステムに関連づけられた端末（１０）における専用アーキテクチャの管理器（２４）であって、少なくとも一つの通信ネットワーク（４０、４１、４２、５０、５１、５２）との少なくとも一つの受信および送信手段、前記端末（１０）による複数の通信ネットワーク（４０、４１、４２、５０、５１、５２）への同時アクセスを管理するための処理手段、通信ネットワーク（４０、４１、４２、５０、５１、５２）に専用のアーキテクチャ（１５、１６、１７、１８）を選択するための手段、ならびに前記端末（１０）の少なくとも一つの専用アーキテクチャ（１５、１６、１７、１８）との送信手段を含むことを特徴とする、端末（１０）における専用アーキテクチャの管理器。
【請求項６】
通信ネットワーク（４０、４１、４２、５０、５１、５２）に専用の少なくとも一つのアーキテクチャ（１５、１６、１７、１８）を端末（１０）上で管理する方法であって、前記端末（１０）が少なくとも一つのユーザーインタフェース（１１）を含んでおり、前記通信ネットワーク（４０、４１、４２、５０、５１、５２）への接続がモバイルネットワークを経由して確立されるため、前記方法が以下のことからなる過程を含むことを特徴とする方法。
−少なくとも一つの専用アーキテクチャの管理器（２４）において、前記端末（１０）と少なくとも一つの通信ネットワーク（４０、４１、４２、５０、５１、５２）との間の接続を、前記モバイルネットワークを介して確立すること。
−前記端末（１０）の前記専用アーキテクチャの管理器（２４）において、前記端末に接続された前記通信ネットワーク（４０、４１、４２、５０、５１、５２）から発信される少なくとも一つのアドレスを受信すること。
−前記端末（１０）において、前記通信ネットワーク（４０、４１、４２、５０、５１、５２）に専用のアーキテクチャ（１５、１６、１７、１８）を、前記専用アーキテクチャの管理器（２４）によって選択すること。
−前記アドレスを、前記専用アーキテクチャの管理器（２４）によって、選択された前記専用アーキテクチャ（１５、１６、１７、１８）へ向けて送信すること。
−前記アドレスを、前記通信ネットワーク（４０、４１、４２、５０、５１、５２）に専用の前記アーキテクチャ（１５、１６、１７、１８）に含まれるネットワークインタフェース（２０、２１、２２、２３）上でパラメータを設定すること。
−前記端末（１０）の前記ユーザーインタフェース（１１）を介して、少なくとも一つの専用アーキテクチャ（１５、１６、１７、１８）にアクセスすること。
−前記専用アーキテクチャの管理器（２４）によって、複数の通信ネットワーク（４０、４１、４２、５０、５１、５２）への少なくとも一つの同時接続を確立すること。
−前記端末（１０）に接続された複数の通信ネットワーク（４０、４１、４２、５０、５１、５２）の同時管理を処理すること。
【発明の詳細な説明】
【技術分野】
【０００１】
本発明は、通信ネットワークに専用のアーキテクチャを端末上で管理するシステムと方法に関するものである。
【０００２】
本発明は、より特徴的には、使用者が加入している公衆モバイルネットワークに接続された端末からの、サービスの集合を提供する複数の通信ネットワークへのアクセスを同時に管理することに適用される。
【背景技術】
【０００３】
現状では、これらのサービスは、ＧＰＲＳシステム（Ｇｅｎｅｒａｌ  Ｐａｃｋｅｔ  Ｒａｄｉｏ  Ｓｅｒｖｉｃｅ、すなわち、汎用パケット伝送式無線システム）、あるいはＵＭＴＳシステム（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ、すなわち、モバイルによる電気通信のユニバーサルシステム）のような、モバイル電気通信ネットワークに接続された端末からアクセスすることができる。
【０００４】
これら前記モバイルネットワークにおいて、サービスを提供する通信ネットワークを選択するためには、前記通信ネットワークを識別する名称を選択しなければならない。端末と所定の通信ネットワークの間に接続を確立するために、前記識別名は、モバイルネットワークのサービスサポート装置を通して、前記通信ネットワークへのアクセスを管理する装置へ送信される。端末から発信された該識別名により、モバイルネットワークの前記サービスサポート装置は、通信ネットワークへのアクセスを提供し、前記識別名に関連づけられているアクセス管理装置を決定できるようになっている。
【０００５】
ＧＰＲＳおよびＵＭＴＳタイプの現状のネットワークでは、通信ネットワークを識別する名称は、ＡＰＮ（Ａｃｃｅｓｓ  Ｐｏｉｎｔ  Ｎａｍｅ、すなわち、アクセスポイントの名称）と称されている。これらの同じシステムにおいて、サービスのサポート装置は、ＳＧＳＮ（Ｓｅｒｖｉｎｇ  ＧＰＲＳ  Ｓｕｐｐｏｒｔ  Ｎｏｄｅ、すなわち、ＧＰＲＳサービスをサポートするノード）と称され、さまざまな通信ネットワークへのアクセスを管理する装置は、ＧＧＳＮ（Ｇａｔｅｗａｙ  ＧＰＲＳ  Ｓｅｒｖｉｃｅ  Ｎｏｄｅ、すなわち、ＧＰＲＳサービスノードのゲートウェイ）と称されている。
【０００６】
ＡＰＮ識別名は、主として、選択された通信ネットワークに対応する識別子と、前記通信ネットワークを管理する事業者の識別子と、たとえばＧＰＲＳのようなモバイルネットワーク技術の識別子を含んでいる。ＡＰＮ識別名のフォーマットならびに使用法は、ＥＴＳＩ（Ｅｕｒｏｐｅａｎ  Ｔｅｌｅｃｏｍｍｕｎｉｃａｔｉｏｎｓ  Ｓｔａｎｄａｒｄｓ  Ｉｎｓｔｉｔｕｔｅ、すなわち、欧州通信規格協会）によって規格化されている。
【０００７】
機能の中でもとりわけ、ＳＧＳＮサービスサポート装置は、端末からＡＰＮ識別名を受信し、それを認識のために、該サポート装置が接続されているＡＰＮ識別名のサーバに送信する。ＡＰＮ識別名の前記サーバは、該ＡＰＮ識別名に関連づけられたＧＧＳＮアクセス管理装置のリストを送信することで、ＳＧＳＮサービスサポート装置に応答する。機能の中でもとりわけ、前記ＳＧＳＮサービスサポート装置は、前記リストに属する一つのＧＧＳＮアクセス管理装置に向けて接続を確立する。前記ＧＧＳＮアクセス管理装置は、該ＡＰＮ識別名に対応する一つの通信ネットワークに向けて接続を確立する。これらＳＧＳＮ装置およびＧＧＳＮ装置もまた、ＥＴＳＩによって規格化されている。
【０００８】
サービスの集合を提供する通信ネットワークにアクセスするために、使用者は、端末上でＡＰＮ識別名を選択することで、対応する通信ネットワークとの接続を確立するようになっている。
【０００９】
いったんＡＰＮ識別が端末上で選択されると、アクセスプロトコルが起動する。ＧＰＲＳもしくはＵＭＴＳにおいて、このプロトコルは「ＰＤＰ」（Ｐａｃｋｅｔ  Ｄａｔａ  Ｐｒｏｔｏｃｏｌ、すなわち、パケットデータプロトコル）と称される。端末から、ＧＧＳＮと呼ばれるアクセス管理装置への接続を確立する手順が実行される。接続の確立を可能にするために、選択された通信ネットワークへのリンクが、モバイルネットワークを通して作られる。ＧＰＲＳもしくはＵＭＴＳにおいて、このリンクは「ＰＤＰ  Ｃｏｎｔｅｘｔ」と称される。このリンクにより、端末が前記通信ネットワークのサービスの集合へアクセスできるようになる。
【００１０】
前記手順の最後に、端末は通信ネットワークから発信されるアドレスを受信し、該アドレスによって該通信ネットワークとの接続が確立される。このアドレスは、前記通信ネットワークの内部で前記端末を識別するものである。該アドレスは、端末と前記通信ネットワークの間に存在している「ＰＤＰ  Ｃｏｎｔｅｘｔ」と称される前記リンクに関連づけられている。
【００１１】
現状では、端末が同時に管理するのは通信ネットワークへの接続だけである。該端末は、「ＰＤＰ  Ｃｏｎｔｅｘｔ」と称されるリンクに関連づけられ、単一の通信ネットワークから発信される、単一のアドレスしか同時には受信しない。
【００１２】
この設計において、端末上に存在するただ一つのアーキテクチャは、前記通信ネットワークに接続された前記端末の動作に専用となっている。
【００１３】
また、各通信ネットワークは他の通信ネットワークから独立しており、固有のアドレス指定法を有している。このことから、通信ネットワークＡは通信ネットワークＢによって行われることを認識しない。特に、通信ネットワークＡは、通信ネットワークＢがどの端末と接続されているかということは認識しない。同様に、前記通信ネットワークＡは、接続された前記端末を識別するために、どのようなアドレスが通信ネットワークＢによって送信されているのかということを認識しない。
【００１４】
ＥＴＳＩの規格は、同一の端末からさまざまな通信ネットワークに向けて、複数の接続が同時に確立できることを想定している。
【００１５】
この場合、前記端末は、複数の通信ネットワークへの接続を確立するために、「ＰＤＰ  Ｃｏｎｔｅｘｔ」と称される複数のリンクを同時に作らなければならない。
【００１６】
「ＰＤＰ  Ｃｏｎｔｅｘｔ」と称されるこれらのリンクのそれぞれに、前記通信ネットワークのそれぞれから発信されるアドレスが関連づけられていることによって、前記端末は識別される。
【００１７】
端末が二つの通信ネットワークＡおよびＢへアクセスする際、このとき「ＰＤＰ  Ｃｏｎｔｅｘｔ」と称される二つのリンクおよび受信された二つのアドレスは、前記端末によって管理される。
【００１８】
結果的に、二つの通信ネットワークへのアクセスを可能にする二つのリンクは、前記端末を介して連係されている。この設計において、二つの通信ネットワークはもはや独立していないのだが、これはなぜなら、物理的な連結がそれらの間で前記端末によって確立されているからである。
【発明の開示】
【発明が解決しようとする課題】
【００１９】
したがって、さまざまな通信ネットワークのサービスによって送信される情報に関して、異なったネットワークに対して同一のアドレスが割り当てられる場合におけるアドレス指定の問題、機密性の問題、安全性の問題およびハッキングの問題にぶつかることになる。これらの問題は、たとえば銀行サービスの利用の際、もしくは私企業の内部イントラネットへ通信ネットワークによってアクセスする際に、特に顕著な問題である。
【課題を解決するための手段】
【００２０】
また、本発明の対象によって解決すべき技術的な問題は、通信ネットワークに専用の少なくとも一つのアーキテクチャを端末上で管理するシステムと方法を提案することであり、該システムと方法により、複数の通信ネットワークに向けられた接続間のあらゆる連結を避けるように端末の構造を再構成することによって、既存システムの難点を改善することが可能になる。
【００２１】
この技術的課題に対する解決法は、本発明によると、前記通信ネットワークへの接続がモバイルネットワークを経由して確立されているため、前記システムが少なくとも一つの専用アーキテクチャの管理器を含み、該管理器が、少なくとも一つのユーザーインタフェースを含んでいる前記端末に内蔵され、通信ネットワークに専用の少なくとも一つのアーキテクチャを管理することに適し、また複数の前記通信ネットワークに接続された前記端末の動作を同時に処理することに適していることからなる。
【００２２】
通信ネットワークへの接続の確立に際し、専用アーキテクチャの管理器は前記通信ネットワークと対話する。前記専用アーキテクチャの管理器は、前記通信ネットワークへの接続に割り当てられている専用アーキテクチャを指定する。
【００２３】
新規通信ネットワークへ新たに接続を確立するたびに、専用アーキテクチャの管理器は、前記新規通信ネットワークへの接続に専用の、異なったアーキテクチャを指定する。
【００２４】
同一の端末において、さまざまな専用アーキテクチャが同時に動作し、前記専用アーキテクチャのそれぞれが異なった通信ネットワークへのアクセスを可能にする。
【００２５】
本発明によると、通信ネットワークに専用の前記アーキテクチャのそれぞれは、少なくとも一つのネットワークインタフェースを含み、該ネットワークインタフェースは、前記専用アーキテクチャの管理器によって送信される、前記通信ネットワークから発信されたアドレスによってパラメータが設定されることで、前記通信ネットワークにおいて前記端末を識別するようになっている。
【００２６】
各ネットワークインタフェースは、それぞれ異なった専用アーキテクチャに含まれる。このことから、さまざまな通信ネットワークに向けて確立されたリンクのそれぞれの間にもはや関係はなくなる。
【００２７】
各通信ネットワークは、別個のネットワークインタフェースを介して前記端末の一つの専用アーキテクチャと通信する。通信ネットワークのそれぞれによって送信されたアドレスは、前記専用アーキテクチャの管理器によって受信され、ネットワークインタフェース上でパラメータが設定される。専用アーキテクチャのネットワークインタフェースは、他の専用アーキテクチャの他のネットワークインタフェースとは関係を持たない。
【００２８】
本発明にしたがうと、通信ネットワークに専用の前記アーキテクチャのそれぞれは、前記端末のその他の専用アーキテクチャから独立している。
【００２９】
同一の端末上で複数の専用アーキテクチャが同時に動作するにもかかわらず、さまざまな通信ネットワーク間ではいかなる連結も作られない。端末の構造は、前記専用アーキテクチャが互いの間にいかなる関係も有することがないように設計される。それらの動作は個別的であり、自立している。
【００３０】
このことから、前記端末の動作は、さまざまな専用アーキテクチャによって、該端末が接続される通信ネットワークにしたがって異なるものであることができる。たとえば、機能は通信ネットワークの一つと連動し、他の通信ネットワークとは存在しないことができる。
【００３１】
さらに、通信ネットワークによるアクセスが可能なサービスの数が増えたことから、各専用アーキテクチャの自立性によって、各通信ネットワークに特有のリソースを割り当てることがとりわけ可能になり、該リソースは、たとえば特有のアプリケーションもしくは異なったメモリスペース、または通信ネットワークよって異なるサービスの質といったものである。
【００３２】
本発明にしたがうと、端末の前記ユーザーインタフェースは、通信ネットワークに専用の少なくとも一つのアーキテクチャへのアクセスを可能にする。
【００３３】
前記端末のユーザーインタフェース、たとえば表示手段もしくは聴覚手段もしくは音声シグナルの送信手段または点字の読み取り手段などにより、通信ネットワークに対応するサービスへのアクセスが可能になる。さまざまな通信ネットワークに専用のさまざまなアーキテクチャを考慮することで、複数のサービスを前記端末上で同時に用いることができる。
【００３４】
本発明はまた、通信ネットワークに専用の少なくとも一つのアーキテクチャを端末上で管理する方法も目的としており、前記端末が少なくとも一つのユーザーインタフェースを含み、そして前記通信ネットワークへの接続がモバイルネットワークを経由して確立される方法であって、前記方法が以下のことからなる過程を含んでいることを特徴とする：−少なくとも一つの専用アーキテクチャの管理器において、前記端末と少なくとも一つの通信ネットワークとの間の接続を、前記モバイルネットワークを介して確立すること；−前記端末の前記専用アーキテクチャの管理器において、前記端末に接続された前記通信ネットワークから発信される少なくとも一つのアドレスを受信すること；−前記端末において、前記通信ネットワークに専用のアーキテクチャを、前記専用アーキテクチャの管理器によって選択すること；−前記アドレスを、前記専用アーキテクチャの管理器によって、選択された前記専用アーキテクチャへ向けて送信すること；−前記アドレスを、前記通信ネットワークに専用の前記アーキテクチャに含まれるネットワークインタフェース上でパラメータを設定すること；−前記端末の前記ユーザーインタフェースを介して、少なくとも一つの専用アーキテクチャにアクセスすること；−前記専用アーキテクチャの管理器によって、複数の通信ネットワークへの少なくとも一つの同時接続を確立すること；−前記端末に接続された複数の通信ネットワークの同時管理を処理すること。
【００３５】
本発明にしたがった方法のこれらのさまざまな過程は、前記端末が新規通信ネットワークに接続するたびに繰り返される。
【００３６】
前記専用アーキテクチャの管理器は、通信ネットワークへの各接続を管理する。
【００３７】
該管理器は、前記通信ネットワークのそれぞれに一つの専用アーキテクチャを割り当てるのだが、このことにより、別個の独立した管理を同時に行うことが可能になる。
【発明を実施するための最良の形態】
【００３８】
非制限的例として提示された、添付図面を参照しつつ行われる説明により、本発明が何によって構成されるのか、また本発明がどのように実現されうるのかということがよりよく理解されることになる。
【００３９】
図１は、本発明にしたがった、通信ネットワークに専用のアーキテクチャを端末上で管理するシステムの全体的なアーキテクチャの概略図である。
【００４０】
理解しやすくするために、本発明は、ＵＭＴＳシステムの用語で用いられる呼称を使って説明される。しかしながら、本発明は、通信ネットワークを識別する同一技術を用いるあらゆる通信システムに適用されるものである。
【００４１】
同様に、説明を容易にするために、モバイル電気通信ネットワークの加入者は端末１０として指示されるが、該端末は、たとえばサーバもしくはモバイル通信端末、ＰＣタイプのパーソナルコンピュータまたはテレビ受信機といった、さまざまな種類であってよく、図１では、ＵＥ（Ｕｓｅｒ  Ｅｑｕｉｐｍｅｎｔ）と称される加入者の装置１０によって指示されている。
【００４２】
用いられる端末１０が何であれ、該端末は使用者が加入している公衆モバイルネットワークに接続されている。
【００４３】
端末１０が第一の通信ネットワーク４０、４１、４２にアクセスしようとするとき、該端末は、モバイルネットワークの無線端子を介して、前記通信ネットワーク４０、４１、４２を識別するＡＰＮ名を送信し、該通信ネットワークは、前記端末１０がアクセスしようとしているサービスの集合を提供している。
【００４４】
前記モバイルネットワークにおいて、「ＳＧＳＮ」と称される無線アクセスの管理装置は、前記端末１０から発信された前記ＡＰＮ名を受信する。「ＳＧＳＮ」と称される前記装置は、前記ＡＰＮ識別名を管理している、「ＧＧＳＮ」と称されるアクセス管理装置を検索する。
【００４５】
「ＳＧＳＮ」と称される装置は、ＡＰＮ識別名を該装置が接続されているＡＰＮ名のサーバに送信するのだが、該サーバは、ＡＰＮ名と、「ＧＧＳＮ」と称されるアクセス管理装置の間の対応表を所有している。「ＳＧＳＮ」と称される前記装置は、前記ＡＰＮ名を管理している、「ＧＧＳＮ」と称されるアクセス管理装置３０を選択する。
【００４６】
「ＧＧＳＮ」と称される前記装置３０は、前記第一の通信ネットワーク４０、４１、４２への接続を確立する。「ＰＤＰ  Ｃｏｎｔｅｘｔ」と称される第一のリンクが、モバイルネットワークを通して、前記第一の通信ネットワーク４０、４１、４２に向けて確立される。この第一のリンク「ＰＤＰ  Ｃｏｎｔｅｘｔ」によって、端末１０から前記第一の通信ネットワーク４０、４１、４２へのアクセスが可能になる。
【００４７】
ＧＰＲＳタイプもしくはＵＭＴＳタイプの技術仕様のモバイルネットワークに応じて、使用者が同一の通信ネットワーク内で複数のサービスにアクセスすれば、「第二のＰＤＰ  Ｃｏｎｔｅｘｔ」と称される複数の同時通信が、前記通信ネットワークに向けて確立される。
【００４８】
この場合、「第二のＰＤＰ  Ｃｏｎｔｅｘｔ」と称されるさまざまな通信が「第一のＰＤＰ  Ｃｏｎｔｅｘｔ」と呼ばれる同一のリンクに関連づけられるのだが、前記「第一のＰＤＰ  Ｃｏｎｔｅｘｔ」は、先行して「ＰＤＰ  Ｃｏｎｔｅｘｔ」として説明されたものと同一の動作を有しており、以下の説明ではこの呼称が用いられる。
【００４９】
前記第一の通信ネットワーク４０、４１、４２は、次に「Ａ１」と称されるアドレスを端末１０に送信するのだが、該アドレスは、接続された前記第一の通信ネットワークのために前記端末１０を識別する。
【００５０】
前記端末１０において、専用アーキテクチャの管理器２４は、前記アドレスＡ１を受信する。前記専用アーキテクチャの管理器２４は、接続された前記第一の通信ネットワーク４０、４１、４２に第一の専用アーキテクチャ１５を割り当て、アドレスＡ１を第一のネットワークインタフェース２０に送信するのだが、該ネットワークインタフェースは、接続された前記第一の通信ネットワーク４０、４１、４２に専用の前記第一のアーキテクチャ１５に含まれている。
【００５１】
前記第一の専用アーキテクチャ１５は、「ＰＤＰ  Ｃｏｎｔｅｘｔ」と称される前記第一のリンクに関連づけられ、該第一のリンクにより、前記端末１０から前記第一の通信ネットワーク４０、４１、４２へのアクセスが可能になる。
【００５２】
前記端末１０が第二の通信ネットワーク５０、５１、５２にアクセスしようとするとき、該端末は第二のＡＰＮ名を送信し、同一の接続手順が上述した装置を通して繰り返されるのだが、該装置はＳＧＳＮおよびＧＧＳＮ、すなわち、３０’と称されるものである。
【００５３】
前記端末１０と第二の通信ネットワーク５０、５１、５２の間に新規接続が確立される。したがって、「ＰＤＰ  Ｃｏｎｔｅｘｔ」と称される第二のリンクが、前記モバイルネットワークを通して、前記第二の通信ネットワーク５０、５１、５２に向けて確立される。
【００５４】
「Ａ２」と呼ばれる新たなアドレスが端末１０に送信され、該アドレスは、前記第二の通信ネットワーク５０、５１、５２のために前記端末１０を識別する。
【００５５】
前記端末１０において、前記専用アーキテクチャの管理器２４は、新たなアドレスＡ２を受信する。該管理器は、接続された前記第二の通信ネットワーク５０、５１、５２に第二の専用アーキテクチャ１６を割り当て、アドレスＡ２を第二のネットワークインタフェース２１に送信するのだが、該ネットワークインタフェースは、接続された前記第二の通信ネットワークに専用の前記第二のアーキテクチャ１６に含まれている。
【００５６】
したがって、前記第二の専用アーキテクチャ１６は「ＰＤＰ  Ｃｏｎｔｅｘｔ」と称される前記第二のリンクに関連づけられ、該第二のリンクにより、前記端末１０から前記第二の通信ネットワーク５０、５１、５２へのアクセスが可能になる。
【００５７】
このように、前記端末１０において、独立したアーキテクチャ１５、１６、１７、１８は、前記端末１０が接続されている各通信ネットワーク４０、４１、４２、５０、５１、５２に専用となっている。受信された、異なった通信ネットワークの各アドレスは、したがって、通信ネットワーク４０、４１、４２、５０、５１、５２に専用のアーキテクチャ１５、１６、１７、１８において、異なったネットワークインタフェース２０、２１、２２、２３上でパラメータが設定される。
【００５８】
同様に、各ネットワークインタフェース２０、２１、２２、２３が、一つ、かつ唯一のアドレスによって識別されることで、通信ネットワーク４０、４１、４２、５０、５１、５２と前記端末１０との間でのデータの送信の際に、正しい受信者を保証するようになっている。
【００５９】
通信ネットワークの技術に応じて、そして規格にしたがって、送信されるアドレスは、たとえば、バージョン４もしくはバージョン６のＩＰ（Ｉｎｔｅｒｎｅｔ  Ｐｒｏｔｏｃｏｌ、すなわち、インターネットプロトコル）アドレスといった、さまざまなフォーマットであってよい。これらのフォーマットおよびさまざまなバージョンは、ＩＥＴＦ（Ｉｎｔｅｒｎｅｔ  Ｅｎｇｉｎｅｅｒｉｎｇ  Ｔａｓｋ  Ｆｏｒｃｅ、すなわち、インターネットエンジニアリングの研究組織）と称される規格化組織によって標準化されている。
【００６０】
フォーマット、バージョン、もしくは、アドレス指定のタイプがどうであれ、たとえばＰＰＰ（Ｐｏｉｎｔ−ｔｏ−Ｐｏｉｎｔ  Ｐｒｏｔｏｃｏｌ、すなわち、ポイント・トゥー・ポイントプロトコル）タイプまたは将来の他のあらゆるタイプのアドレス指定であっても、通信ネットワークと前記端末１０の間でのアドレスの送信は変化しないままである。前記端末１０のアーキテクチャにより、さまざまな世代への適応が容易になる。
【００６１】
この構造では、端末１０について、各専用アーキテクチャは、そのネットワークインタフェースと共に、前記端末１０の専用アーキテクチャのそれぞれ１５、１６、１７、１８から独立している。
【００６２】
通信ネットワーク４０、４１、４２、５０、５１、５２に専用の各アーキテクチャ１５、１６、１７、１８は、前記通信ネットワーク４０、４１、４２、５０、５１、５２から発信されるあらゆる情報を受信し、該通信ネットワークは、前記通信ネットワーク４０、４１、４２、５０、５１、５２に対応する「ＰＤＰ  Ｃｏｎｔｅｘｔ」を介して、前記専用アーキテクチャ１５、１６、１７、１８に関連づけられている。
【００６３】
いったん接続が確立されると、専用アーキテクチャは前記端末１０のユーザーインタフェース１１にアクセスする。このようにして、加入者は、第一の通信ネットワーク４０、４１、４２の少なくとも一つのサービスコンテンツ、たとえばホームページ１２にアクセスする。
【００６４】
加入者が前記端末１０上で第二の通信ネットワーク５０、５１、５２へのアクセスを選択するとき、前記第二の通信ネットワーク５０、５１、５２の新たなサービス１３に対応するコンテンツ、たとえば新規ホームページ１３は、前記ユーザーインタフェース１１を介してアクセスすることが可能である。
【００６５】
前記端末１０に設置されたオペレーティングシステムの可能性に応じて、複数のウィンドウが表示され、さまざまな通信ネットワークのさまざまなホームページ１２、１３、１４を提示することが可能であり、もしくは、加入者は、前記端末１０上のボタンまたはタッチ制御のような選択手段を用いて、あるホームページから他のホームページへジャンプすることができる。
【００６６】
前記端末１０上でのコンテンツの表示が通信ネットワークによって要求されない場合、前記通信ネットワークのコンテンツの表示は、聴覚手段によって送信される音声メッセージのような、前記端末１０のユーザーインタフェース１１の他のあらゆる手段によって行われる。
【００６７】
各専用アーキテクチャ１５、１６、１７、１８は、前記端末１０上に存在する手段へのアクセスを指令し、該手段によって、通信ネットワークのサービス、たとえば動画もしくは画像のビューアー、インターネットのページを読み込むためのブラウザなどの使用が可能になる。
【００６８】
本発明にしたがったシステムおよび方法により、前記専用アーキテクチャの管理器２４を介して、同一の端末１０における一つの通信ネットワークへの複数の接続を、個別的かつ自立的に管理できるようになる。
【００６９】
「ＰＤＰ  Ｃｏｎｔｅｘｔ」と呼ばれる一つのリンクは、一つ、かつ唯一の通信ネットワークに関連づけられている。前記通信ネットワークは、一つ、かつ唯一のアドレスを唯一のネットワークインタフェースに送信することで、前記端末１０を識別する。
【００７０】
このように、各ネットワークインタフェースは、通信ネットワークから発信される、一つ、かつ唯一のアドレスに関連づけられている。そして通信ネットワークにおいて、与えられた一つのアドレスは、一つ、かつ唯一のネットワークインタフェースに送信される。
【００７１】
一つのネットワークと一つのネットワークインタフェースの間における、このアドレス指定の単一性の原則により、前記端末１０から通信ネットワーク４０、４１、４２、５０、５１、５２へ向けて、またその逆方向においても、間違いなく正確な受信者へデータを送信できるようになる。
【００７２】
前記端末１０のさまざまな専用アーキテクチャ１５、１６、１７、１８の自立性と独立した動作により、複数の通信ネットワーク４０、４１、４２、５０、５１、５２にアクセスする際、アドレス指定の単一性の原則の管理を尊重することが保証される。
【００７３】
各通信ネットワークが独立し、固有のアドレス指定を所有していることを確認しよう。このことから、二つの通信ネットワークは、前記端末１０に同一のアドレスを送信することができる。
【００７４】
そのアーキテクチャが本発明にしたがっている前記端末１０では、アドレス指定の単一性の原則に対するいかなる違反も生じることがない。実際、二つの独立したネットワークインタフェースは、これら二つの同一アドレスを受信し、異なった二つの通信ネットワークに接続されるのだが、該二つのネットワークは独立したままである。各アーキテクチャは自立し、異なった一つの通信ネットワークに専用である。
【００７５】
この場合、同一のアドレス指定が、複数の通信ネットワーク４０、４１、４２、５０、５１、５２によって用いられることができる。アドレス指定の単一性が前記端末１０で保持されているのである。これは、たとえばＩＰ（Ｉｎｔｅｒｎｅｔ  Ｐｒｏｔｏｃｏｌ、すなわち、インターネットプロトコル）ネットワーク上での、使用可能なアドレスの不足という問題を解決する一つの方法である。
【００７６】
アドレス指定が二つの異なった通信ネットワークに対して同一ではないとしても、専用アーキテクチャ１５、１６、１７、１８の独立した管理により、前記通信ネットワーク４０、４１、４２、５０、５１、５２の間の機密性と安全性が保証される。これら信頼性および安全性の必要性は、たとえば、銀行取引の際、もしくは企業のプライベートネットワークへの接続の際に感じられるものである。
【００７７】
「ＰＤＰ  Ｃｏｎｔｅｘｔ」と呼ばれるリンクのそれぞれは、異なった専用アーキテクチャによって管理され、該専用アーキテクチャは、通信ネットワーク４０、４１、４２、５０、５１、５２に専用の他のアーキテクチャ１５、１６、１７、１８とは関係を持たない。
【００７８】
さまざまな専用アーキテクチャ１５、１６、１７、１８によって通信ネットワーク４０、４１、４２、５０、５１、５２を別個に管理することから、この構造は、前記端末１０に接続されたさまざまなサービス間の遮断性を保証し、たとえばインターネットに接続された第二の通信ネットワークからの、第一の通信ネットワークのサービスによって送信される情報のハッキングが防止される。
【００７９】
さらに、同一の端末について、異なった専用アーキテクチャ１５、１６、１７、１８による各通信ネットワーク４０、４１、４２、５０、５１、５２の独立した処理により、各通信ネットワークへのより良い適用が可能になる。
【００８０】
サービスのさまざまな質は、同一の端末１０において同時に管理できるであろう。たとえば、第一のネットワークは送信の良好な質を有し、第二のネットワークはあまり良好ではない質を有しているかもしれない。第三のネットワークは高いエラー比率を有するかもしれない。
【００８１】
同一の端末１０において、通信ネットワークのあらゆる機能および進展も、通信ネットワーク４０、４１、４２、５０、５１、５２に専用の各アーキテクチャ１５、１６、１７、１８によって、同様に独立して管理することができるであろう。
【図面の簡単な説明】
【００８２】
【図１】本発明にしたがった、通信ネットワークに専用のアーキテクチャを端末上で管理するシステムの全体的なアーキテクチャの概略図である。
【符号の説明】
【００８３】
１０  端末
１１  ユーザーインタフェース
１２  ホームページ
１３  ホームページ
１４  ホームページ
１５  専用アーキテクチャ
１６  専用アーキテクチャ
１７  専用アーキテクチャ
１８  専用アーキテクチャ
２０  ネットワークインタフェース
２１  ネットワークインタフェース
２２  ネットワークインタフェース
２３  ネットワークインタフェース
２４  専用アーキテクチャの管理器
３０  アクセス管理装置
４０  第一の通信ネットワーク
４１  第一の通信ネットワーク
４２  第一の通信ネットワーク
５０  第二の通信ネットワーク
５１  第二の通信ネットワーク
５２  第二の通信ネットワーク
【図１】
2005535164.tif 000003
【手続補正書】
【提出日】平成15年9月21日(2003.9.21)
【手続補正１】
【補正対象書類名】特許請求の範囲
【補正対象項目名】全文
【補正方法】変更
【補正の内容】
【特許請求の範囲】
【請求項１】
複数の通信ネットワーク（４０、４１、４２、５０、５１、５２）に専用のアーキテクチャ（１５、１６、１７、１８）の集合を端末（１０）上で管理するシステムであり、前記端末（１０）が少なくとも一つのユーザーインタフェース（１１）を含んでいるものであって、前記複数の通信ネットワーク（４０、４１、４２、５０、５１、５２）への接続がモバイルネットワークを経由して確立され、前記システムが少なくとも一つの専用アーキテクチャの管理器（２４）を含み、該管理器が前記端末（１０）に内蔵され、前記複数の通信ネットワーク（４０、４１、４２、５０、５１、５２）に専用の前記アーキテクチャ（１５、１６、１７、１８）の集合を独立して管理すること、および複数の前記通信ネットワーク（４０、４１、４２、５０、５１、５２）に接続された前記端末（１０）の動作を同時に処理すること、ならびに複数の前記通信ネットワーク（４０、４１、４２、５０、５１、５２）との同時接続を別個に管理すること、ならびに端末（１０）に接続された前記通信ネットワークのそれぞれから発信された、一つの、かつ唯一でないアドレスを受信した後に、複数の前記通信ネットワーク（４０、４１、４２、５０、５１、５２）を独立して管理することに適していることを特徴とする、少なくとも一つの専用アーキテクチャを端末（１０）上で管理するシステム。
【請求項２】
通信ネットワーク（４０、４１、４２、５０、５１、５２）に専用の前記アーキテクチャ（１５、１６、１７、１８）のそれぞれが、少なくとも一つのネットワークインタフェース（２０、２１、２２、２３）を含み、該インタフェースが、前記専用アーキテクチャの管理器によって送信される、前記通信ネットワーク（４０、４１、４２、５０、５１、５２）から発信されたアドレスによってパラメータが設定されることで、前記通信ネットワーク（４０、４１、４２、５０、５１、５２）において前記端末（１０）を識別するようになっていることを特徴とする、請求項１に記載の、専用アーキテクチャ（１５、１６、１７、１８）の集合を端末（１０）上で管理するシステム。
【請求項３】
通信ネットワーク（４０、４１、４２、５０、５１、５２）に専用の前記アーキテクチャ（１５、１６、１７、１８）のそれぞれが、前記端末（１０）の他の専用アーキテクチャ（１５、１６、１７、１８）から独立していることを特徴とする、請求項１または請求項２に記載の、専用アーキテクチャ（１５、１６、１７、１８）の集合を端末（１０）上で管理するシステム。
【請求項４】
端末（１０）の前記ユーザーインタフェース（１１）が、通信ネットワーク（４０、４１、４２、５０、５１、５２）に専用の少なくとも一つのアーキテクチャ（１５、１６、１７、１８）へのアクセスを可能にすることを特徴とする、請求項１〜請求項３のいずれか一つに記載の、専用アーキテクチャ（１５、１６、１７、１８）の集合を端末（１０）上で管理するシステム。
【請求項５】
請求項１〜請求項４のいずれか一つに記載の、専用アーキテクチャを管理するシステムに関連づけられた端末（１０）における専用アーキテクチャの管理器（２４）であって、少なくとも一つの通信ネットワーク（４０、４１、４２、５０、５１、５２）との少なくとも一つの受信および送信手段、前記端末（１０）による複数の通信ネットワーク（４０、４１、４２、５０、５１、５２）への同時アクセスを管理するための処理手段、通信ネットワーク（４０、４１、４２、５０、５１、５２）に専用のアーキテクチャ（１５、１６、１７、１８）を選択するための手段、ならびに前記端末（１０）の少なくとも一つの専用アーキテクチャ（１５、１６、１７、１８）との送信手段を含むことを特徴とする、端末（１０）における専用アーキテクチャの管理器。
【請求項６】
複数の通信ネットワーク（４０、４１、４２、５０、５１、５２）に専用のアーキテクチャ（１５、１６、１７、１８）の集合を端末（１０）上で管理する方法であって、前記端末（１０）が少なくとも一つのユーザーインタフェース（１１）を含んでおり、前記複数の通信ネットワーク（４０、４１、４２、５０、５１、５２）への接続がモバイルネットワークを経由して確立されるため、前記方法が以下のことからなる過程を含むことを特徴とする方法。
−少なくとも一つの専用アーキテクチャの管理器（２４）において、前記端末（１０）と複数の前記通信ネットワーク（４０、４１、４２、５０、５１、５２）との間の接続を、前記モバイルネットワークを介して確立すること。
−前記端末（１０）の前記専用アーキテクチャの管理器（２４）において、前記端末に接続された前記通信ネットワーク（４０、４１、４２、５０、５１、５２）のそれぞれから発信される少なくとも一つのアドレスを受信すること。
−前記端末（１０）において、前記通信ネットワーク（４０、４１、４２、５０、５１、５２）のそれぞれに専用のアーキテクチャ（１５、１６、１７、１８）を、前記専用アーキテクチャの管理器（２４）によって選択すること。
−前記アドレスを、前記専用アーキテクチャの管理器（２４）によって、選択された前記専用アーキテクチャ（１５、１６、１７、１８）へ向けて送信すること。
−前記アドレスを、前記複数の通信ネットワーク（４０、４１、４２、５０、５１、５２）に専用の前記複数のアーキテクチャ（１５、１６、１７、１８）に含まれるネットワークインタフェース（２０、２１、２２、２３）上でパラメータを設定すること。
−前記端末（１０）の前記ユーザーインタフェース（１１）を介して、少なくとも一つの専用アーキテクチャ（１５、１６、１７、１８）にアクセスすること。
−前記専用アーキテクチャの管理器（２４）によって、複数の通信ネットワーク（４０、４１、４２、５０、５１、５２）への少なくとも一つの同時接続を確立し、別個に管理すること。
−前記複数の通信ネットワーク（４０、４１、４２、５０、５１、５２）に専用の前記アーキテクチャ（１５、１６、１７、１８）の集合の独立した管理を処理すること。
−前記端末（１０）に接続された複数の通信ネットワーク（４０、４１、４２、５０、５１、５２）の同時管理を処理すること。
−端末（１０）に接続された前記通信ネットワークのそれぞれから発信された、一つの、かつ唯一でないアドレスを受信した後に、複数の前記通信ネットワーク（４０、４１、４２、５０、５１、５２）を独立して管理すること。
【手続補正２】
【補正対象書類名】明細書
【補正対象項目名】００１４
【補正方法】変更
【補正の内容】
【００１４】
他方で、国際公開第０２／０９４５１号パンフレットにおいて、モバイル端末（ＭＴ）を介した、複数の装置（ＴＥ）からの単一のパケットデータネットワーク（ＰＤＮ）に向けた一つの接続方法が説明されている。モバイル端末（ＭＴ）は、各装置（ＴＥ）に割り当てられたＩＰアドレスを、ただ一つのパケットデータネットワーク（ＰＤＮ）からのみ受信するため、前記アドレスは常にそれぞれ異なったものになる。同一のネットワークは、一つの構造につき、唯一のアドレスを与えることによって、該ネットワークが接続されている端末を識別するようになっている。同一のデータネットワークから発信された、さまざまな前記アドレスは、したがって複数の装置（ＴＥ）に割り当てられる。
このパンフレットは、同一の端末に接続された複数の通信ネットワークの同時管理に関してまったく説明していない。
ＥＴＳＩの規格は、同一の端末からさまざまな通信ネットワークに向けて、複数の接続が同時に確立できることを想定している。
【手続補正３】
【補正対象書類名】明細書
【補正対象項目名】００２０
【補正方法】変更
【補正の内容】
【００２０】
また、本発明の対象によって解決すべき技術的な問題は、複数の通信ネットワークに専用のアーキテクチャの集合を端末上で管理するシステムと方法を提案することであり、該システムと方法により、複数の通信ネットワークに向けられた接続間のあらゆる連結を避けるように端末の構造を再構成することによって、既存システムの難点を改善することが可能になる。
【手続補正４】
【補正対象書類名】明細書
【補正対象項目名】００２１
【補正方法】変更
【補正の内容】
【００２１】
この技術的課題に対する解決法は、本発明によると、前記複数の通信ネットワークへの接続がモバイルネットワークを経由して確立されているため、前記システムが少なくとも一つの専用アーキテクチャの管理器を含み、該管理器が、少なくとも一つのユーザーインタフェースを含んでいる前記端末に内蔵され、前記複数の通信ネットワークに専用の前記アーキテクチャの集合を独立して管理すること、および複数の前記通信ネットワークに接続された前記端末の動作を同時に処理すること、ならびに複数の前記通信ネットワークとの同時接続を別個に管理すること、ならびに端末に接続された前記通信ネットワークのそれぞれから発信された、一つの、かつ唯一でないアドレスを受信した後に、複数の前記通信ネットワークを独立して管理することに適していることからなる。
【手続補正５】
【補正対象書類名】明細書
【補正対象項目名】００３４
【補正方法】変更
【補正の内容】
【００３４】
本発明はまた、複数の通信ネットワークに専用のアーキテクチャの集合を端末上で管理する方法も目的としており、前記端末が少なくとも一つのユーザーインタフェースを含み、そして前記複数の通信ネットワークへの接続がモバイルネットワークを経由して確立される方法であって、前記方法が以下のことからなる過程を含んでいることを特徴とする：−少なくとも一つの専用アーキテクチャの管理器において、前記端末と複数の前記通信ネットワークとの間の接続を、前記モバイルネットワークを介して確立すること；−前記端末の前記専用アーキテクチャの管理器において、前記端末に接続された前記複数の通信ネットワークから発信される少なくとも一つのアドレスを受信すること；−前記端末において、前記通信ネットワークのそれぞれに専用のアーキテクチャを、前記専用アーキテクチャの管理器によって選択すること；−前記アドレスを、前記専用アーキテクチャの管理器によって、選択された前記専用アーキテクチャへ向けて送信すること；−前記アドレスを、前記複数の通信ネットワークに専用の前記複数のアーキテクチャに含まれるネットワークインタフェース上でパラメータを設定すること；−前記端末の前記ユーザーインタフェースを介して、少なくとも一つの専用アーキテクチャにアクセスすること；−前記専用アーキテクチャの管理器によって、複数の通信ネットワークへの少なくとも一つの同時接続を確立し、別個に管理すること；−前記端末に接続された複数の通信ネットワークの同時管理を処理すること；端末に接続された前記通信ネットワークのそれぞれから発信された、一つの、かつ唯一でないアドレスを受信した後に、複数の通信ネットワークを独立して管理すること。


【国際調査報告】
2005535164.tif 000004
2005535164.tif 000005
2005535164.tif 000006
2005535164.tif 000007
2005535164.tif 000008
2005535164.tif 000009